(57)【要約】【課題】複数の設定項目の中でデフォルト値に戻す設定項目を、ユーザに負担なくユーザが意図する通りに選択することが可能な、データ処理プログラム、データ処理方法、およびデータ処理装置を提供する。【解決手段】設定項目についての現在の設定値をデフォルト値に戻すための指示を受け付けた場合、設定項目毎に現在の設定値とデフォルト値とがそれぞれ画面上に表示される（Ｓ１０５）。そして、表示された複数の設定項目の中で、現在の設定値をデフォルト値に戻す設定項目が、ユーザの操作に基づいて選択される（Ｓ１０６）。【選択図】図６
2007102497.tif 000002
【特許請求の範囲】
【請求項１】
設定項目についての現在の設定値をデフォルト値に戻すための指示を受け付けた場合、設定項目毎に現在の設定値とデフォルト値とをそれぞれ画面上に表示する表示手順と、
表示された複数の設定項目の中で、現在の設定値をデフォルト値に戻す設定項目をユーザの操作に基づいて選択する選択手順と、
をコンピュータに実行させるためのデータ処理プログラム。
【請求項２】
前記表示手順において、現在の設定値とデフォルト値とが異なる設定項目についてのみ、設定項目毎に、現在の設定値とデフォルト値とがそれぞれ画面上に表示されることを特徴とする請求項１に記載のデータ処理プログラム。
【請求項３】
全設定項目について現在の設定値がデフォルト値と同じである場合、前記表示手順において、設定項目毎に現在の設定値とデフォルト値とがそれぞれ画面上に表示される代わりに、全設定項目について現在の設定値がデフォルト値と同じであることを示す情報が画面上に表示されることを特徴とする請求項１に記載のデータ処理プログラム。
【請求項４】
全設定項目について現在の設定値がデフォルト値と同じである場合、設定項目についての現在の設定値をデフォルト値に戻すための指示を受け付け不能にする制御手順をさらに有することを特徴とする請求項１に記載のデータ処理プログラム。
【請求項５】
設定項目についての現在の設定値をデフォルト値に戻すための指示を受け付ける受付手順と、
前記指示を受け付けた場合であって、全設定項目について現在の設定値がデフォルト値と同じであるとき、全設定項目について現在の設定値がデフォルト値と同じであることを示す情報を画面上に表示する表示手順と、
をコンピュータに実行させるためのデータ処理プログラム。
【請求項６】
全設定項目について現在の設定値がデフォルト値と同じである場合、設定項目についての現在の設定値をデフォルト値に戻すための指示を受け付け不能にする制御手順をコンピュータに実行させるためのデータ処理プログラム。
【請求項７】
前記データ処理プログラムはプリンタドライバに含まれることを特徴とする請求項１〜６のいずれか１つに記載のデータ処理プログラム。
【請求項８】
請求項１〜７のいずれか１つに記載のデータ処理プログラムを記録したコンピュータ読み取り可能な記録媒体。
【請求項９】
設定項目についての現在の設定値をデフォルト値に戻すための指示を受け付けた場合、設定項目毎に現在の設定値とデフォルト値とをそれぞれ画面上に表示する表示ステップと、
表示された複数の設定項目の中で、現在の設定値をデフォルト値に戻す設定項目をユーザの操作に基づいて選択する選択ステップと、
を有することを特徴とするデータ処理方法。
【請求項１０】
設定項目についての現在の設定値をデフォルト値に戻すための指示を受け付ける受付ステップと、
前記指示を受け付けた場合であって、全設定項目について現在の設定値がデフォルト値と同じであるとき、全設定項目について現在の設定値がデフォルト値と同じであることを示す情報を画面上に表示する表示ステップと、
を有することを特徴とするデータ処理方法。
【請求項１１】
全設定項目について現在の設定値がデフォルト値と同じである場合、設定項目についての現在の設定値をデフォルト値に戻すための指示を受け付け不能にする制御ステップを有することを特徴とするデータ処理方法。
【請求項１２】
設定項目についての現在の設定値をデフォルト値に戻すための指示を受け付けた場合、設定項目毎に現在の設定値とデフォルト値とをそれぞれ画面上に表示する表示手段と、
表示された複数の設定項目の中で、現在の設定値をデフォルト値に戻す設定項目をユーザの操作に基づいて選択する選択手段と、
を有することを特徴とするデータ処理装置。
【請求項１３】
設定項目についての現在の設定値をデフォルト値に戻すための指示を受け付ける受付手段と、
前記指示を受け付けた場合であって、全設定項目について現在の設定値がデフォルト値と同じであるとき、全設定項目について現在の設定値がデフォルト値と同じであることを示す情報を画面上に表示する表示手段と、
を有することを特徴とするデータ処理装置。
【請求項１４】
全設定項目について現在の設定値がデフォルト値と同じである場合、設定項目についての現在の設定値をデフォルト値に戻すための指示を受け付け不能にする制御手段を有することを特徴とするデータ処理装置。
【発明の詳細な説明】
【技術分野】
【０００１】
本発明は、データ処理プログラム、データ処理方法、およびデータ処理装置に関する。本発明は、特に、例えば印刷ジョブに適用される設定項目をデフォルト値に戻す場合に使用されるデータ処理プログラム、データ処理方法、およびデータ処理装置に関する。
【背景技術】
【０００２】
例えばプリンタで実行される印刷ジョブには、原稿サイズ、給紙トレイ、用紙種類などの印刷条件に関する設定項目が適用され得る。ユーザは、ＰＣ（パーソナルコンピュータ）上でプリンタドライバと呼ばれる制御プログラムを用いて、印刷ジョブに適用される各設定項目を所望の値に設定することができる。ここで、プリンタドライバにより提供される設定項目は複数あり、近年、設定項目の数は増大してきている。
【０００３】
各設定項目は、ユーザが特に指定しない場合には、デフォルト値に設定される。ユーザは、プリンタドライバを用いて、各設定項目をデフォルト値とは異なる所望の設定値に変更することが可能である。
【０００４】
また、プリンタドライバは、変更された設定値をデフォルト値に戻す機能をも有している。この機能によれば、複数の設定項目を所望の設定値に変更した場合でも、再度元の状態（デフォルト値）に容易に戻すことができる。
【０００５】
しかし、上記機能を使用した場合、全設定項目がデフォルト値に戻ってしまうため、ユーザは、一部の設定項目のみをデフォルト値に戻したい場合には、一旦全設定項目をデフォルト値に戻してから再度必要な設定項目の値を設定しなければならず、面倒な操作を強いられていた。
【０００６】
この問題を解決するために、デフォルト値に戻す場合に、複数の設定項目の中でデフォルト値に戻したい設定項目を選択して、その選択した設定項目だけをデフォルト値に戻すことができる操作環境設定方法が提案されている（特許文献１参照）。
【０００７】
しかしながら、上記特許文献に記載の技術では、ユーザは、デフォルト値に戻す設定項目を指定する際に、どの設定項目がデフォルト値から変更されているか、および変更されている設定項目のデフォルト値は何であるかという情報を予め知っている必要がある。この場合、かかる情報をユーザが正確に認識することは負担が大きい一方で、かかる情報をユーザが誤って認識した場合には、設定項目がユーザの意図しない設定値となってしまう虞があった。
【特許文献１】特開平１０−１１６２７２号公報
【発明の開示】
【発明が解決しようとする課題】
【０００８】
本発明は上述した問題点を解決するためになされたものであり、本発明の目的は、複数の設定項目の中でデフォルト値に戻す設定項目を、ユーザに負担なくユーザが意図する通りに選択することが可能な、データ処理プログラム、データ処理方法、およびデータ処理装置を提供することにある。
【課題を解決するための手段】
【０００９】
本発明の上記目的は、下記の手段によって達成される。
【００１０】
（１）設定項目についての現在の設定値をデフォルト値に戻すための指示を受け付けた場合、設定項目毎に現在の設定値とデフォルト値とをそれぞれ画面上に表示する表示手順と、表示された複数の設定項目の中で、現在の設定値をデフォルト値に戻す設定項目をユーザの操作に基づいて選択する選択手順と、をコンピュータに実行させるためのデータ処理プログラム。
【００１１】
（２）前記表示手順において、現在の設定値とデフォルト値とが異なる設定項目についてのみ、設定項目毎に、現在の設定値とデフォルト値とがそれぞれ画面上に表示されることを特徴とする上記（１）に記載のデータ処理プログラム。
【００１２】
（３）全設定項目について現在の設定値がデフォルト値と同じである場合、前記表示手順において、設定項目毎に現在の設定値とデフォルト値とがそれぞれ画面上に表示される代わりに、全設定項目について現在の設定値がデフォルト値と同じであることを示す情報が画面上に表示されることを特徴とする上記（１）に記載のデータ処理プログラム。
【００１３】
（４）全設定項目について現在の設定値がデフォルト値と同じである場合、設定項目についての現在の設定値をデフォルト値に戻すための指示を受け付け不能にする制御手順をさらに有することを特徴とする上記（１）に記載のデータ処理プログラム。
【００１４】
（５）設定項目についての現在の設定値をデフォルト値に戻すための指示を受け付ける受付手順と、前記指示を受け付けた場合であって、全設定項目について現在の設定値がデフォルト値と同じであるとき、全設定項目について現在の設定値がデフォルト値と同じであることを示す情報を画面上に表示する表示手順と、をコンピュータに実行させるためのデータ処理プログラム。
【００１５】
（６）全設定項目について現在の設定値がデフォルト値と同じである場合、設定項目についての現在の設定値をデフォルト値に戻すための指示を受け付け不能にする制御手順をコンピュータに実行させるためのデータ処理プログラム。
【００１６】
（７）前記データ処理プログラムはプリンタドライバに含まれることを特徴とする上記（１）〜（６）のいずれか１つに記載のデータ処理プログラム。
【００１７】
（８）上記（１）〜（７）のいずれか１つに記載のデータ処理プログラムを記録したコンピュータ読み取り可能な記録媒体。
【００１８】
（９）設定項目についての現在の設定値をデフォルト値に戻すための指示を受け付けた場合、設定項目毎に現在の設定値とデフォルト値とをそれぞれ画面上に表示する表示ステップと、表示された複数の設定項目の中で、現在の設定値をデフォルト値に戻す設定項目をユーザの操作に基づいて選択する選択ステップと、を有することを特徴とするデータ処理方法。
【００１９】
（１０）設定項目についての現在の設定値をデフォルト値に戻すための指示を受け付ける受付ステップと、前記指示を受け付けた場合であって、全設定項目について現在の設定値がデフォルト値と同じであるとき、全設定項目について現在の設定値がデフォルト値と同じであることを示す情報を画面上に表示する表示ステップと、を有することを特徴とするデータ処理方法。
【００２０】
（１１）全設定項目について現在の設定値がデフォルト値と同じである場合、設定項目についての現在の設定値をデフォルト値に戻すための指示を受け付け不能にする制御ステップを有することを特徴とするデータ処理方法。
【００２１】
（１２）設定項目についての現在の設定値をデフォルト値に戻すための指示を受け付けた場合、設定項目毎に現在の設定値とデフォルト値とをそれぞれ画面上に表示する表示手段と、表示された複数の設定項目の中で、現在の設定値をデフォルト値に戻す設定項目をユーザの操作に基づいて選択する選択手段と、を有することを特徴とするデータ処理装置。
【００２２】
（１３）設定項目についての現在の設定値をデフォルト値に戻すための指示を受け付ける受付手段と、前記指示を受け付けた場合であって、全設定項目について現在の設定値がデフォルト値と同じであるとき、全設定項目について現在の設定値がデフォルト値と同じであることを示す情報を画面上に表示する表示手段と、を有することを特徴とするデータ処理装置。
【００２３】
（１４）全設定項目について現在の設定値がデフォルト値と同じである場合、設定項目についての現在の設定値をデフォルト値に戻すための指示を受け付け不能にする制御手段を有することを特徴とするデータ処理装置。
【発明の効果】
【００２４】
本発明によれば、ユーザは、現時点でデフォルト値から変更されている設定項目と、その設定項目をデフォルト値に戻した時の状態とを容易に確認することができ、デフォルト値に戻したい設定項目を誤り無く選択することが可能となる。つまり、複数の設定項目の中でデフォルト値に戻す設定項目を、ユーザに負担なくユーザが意図する通りに選択することが可能となる。
【発明を実施するための最良の形態】
【００２５】
以下、本発明の実施の形態を、図面を参照して詳細に説明する。
【００２６】
図１は、本発明の一実施形態にかかる印刷システムの全体構成を示すブロック図である。
【００２７】
本実施形態にかかる印刷システムは、ＰＣ（パーソナルコンピュータ）１と、プリンタ２とを備える。ＰＣ１とプリンタ２とは、ネットワーク３を介して相互に通信可能に接続されている。
【００２８】
ネットワーク３は、たとえば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。なお、ネットワーク３に接続される機器の種類および台数は、図１に示される例に限定されない。
【００２９】
図２は、図１に示されるＰＣ１の構成を示すブロック図である。データ処理装置としてのＰＣ１は、ＣＰＵ１１、ＲＯＭ１２、ＲＡＭ１３、ハードディスク１４、ディスプレイ１５、入力装置１６、および通信インタフェース１７を含み、これらは信号をやり取りするためのバス１８を介して相互に接続されている。
【００３０】
ＣＰＵ１１は、プログラムにしたがって上記各部の制御や各種の演算処理を行う。ＲＯＭ１２は、各種プログラムおよび各種データを格納する。ＲＡＭ１３は、作業領域として一時的にプログラムおよびデータを記憶する。ハードディスク１４は、オペレーティングシステムを含む各種プログラム、および各種データを格納する。
【００３１】
ディスプレイ１５は、例えばＣＲＴあるいはＬＣＤであり、各種の情報を表示する。入力装置１６は、マウス等のポインティングデバイス、およびキーボードであり、各種の入力を行うために使用される。
【００３２】
通信インタフェース１７は、プリンタ２等の他の機器との間で通信を行うためのインタフェースであり、イーサネット（登録商標）、トークンリング、ＦＤＤＩ等の規格によるネットワークインタフェースのほか、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等の各種ローカル接続インタフェース、電話回線に接続するための電話回線インタフェース等が用いられ得る。
【００３３】
ハードディスク１４には、文書ファイル作成アプリケーションと、プリンタドライバとがインストールされている。プリンタドライバは、後述する印刷設定画面を用いたユーザの操作に基づいて印刷条件に関する各項目を設定するとともに、文書ファイル作成アプリケーションから渡されたデータに基づいて、プリンタ２で処理可能な形式の印刷データを生成する。
【００３４】
図３は、プリンタドライバによってディスプレイ１５に表示される印刷設定画面の一例を示す。図３に示されるように、印刷設定画面１００には、原稿サイズ、給紙トレイ、用紙種類などの印刷条件に関する複数の設定項目が含まれる。
【００３５】
図４に示すように、各設定項目のデフォルト値は、デフォルト値データファイル２００として、ハードディスク１４などの記憶部に保存されている。ここで、デフォルト値とは、ユーザが特に指定しない場合の標準の値をいう。
【００３６】
ユーザは、印刷設定画面１００における各設定項目の設定値の変更、あるいは各種データ入力を行うことができる。変更された設定値は、設定値データファイルとして、ハードディスク１４などの記憶部に保存される。
【００３７】
また、印刷設定画面１００には、設定項目についての現在の設定値をデフォルト値に戻すための指示を受け付ける「標準に戻す」ボタン１０１が含まれる。
【００３８】
図５は、図１に示されるプリンタ２の構成を示すブロック図である。プリンタ２は、ＣＰＵ２１、ＲＯＭ２２、ＲＡＭ２３、ハードディスク２４、操作パネル部２５、印刷部２６、および通信インタフェース２７を含み、これらの各部は信号をやり取りするためのバス２８を介して相互に接続されている。なお、プリンタ２の上記各部のうち、ＰＣ１の上記各部と同様の機能を有する部分については、説明の重複を避けるためその説明を省略する。
【００３９】
操作パネル部２５は、タッチパネル、テンキー、スタートボタン、およびストップボタン等の要素を備えており、各種情報の表示および各種指示の入力に使用される。印刷部２６は、電子写真式プロセス等の周知の作像プロセスを用いて、各種データを用紙などの記録媒体上に印刷する。
【００４０】
なお、ＰＣ１およびプリンタ２は、それぞれ、上記した構成要素以外の構成要素を含んでいてもよく、あるいは、上記した構成要素のうちの一部が含まれていなくてもよい。
【００４１】
以上のように構成される本実施形態にかかる印刷システムにおいて、ＰＣ１は、プリンタドライバによって作成された印刷データをプリンタ２に送信する。プリンタ２は、受信した印刷データに基づいて印刷処理を実行する。
【００４２】
次に、図６を参照して、ＰＣ１における設定項目についての現在の設定値をデフォルト値に戻す処理について説明する。なお、図６のフローチャートにより示されるアルゴリズムは、ＰＣ１のハードディスク１４などの記憶部にプログラムとして記憶されており、ＣＰＵ１１によって実行される。
【００４３】
図３に示す印刷設定画面１００における「標準に戻す」ボタン１０１が押される（クリックされる）と、デフォルト値に戻す処理の実行が開始される。
【００４４】
まず、ハードディスク１４に保存されているデフォルト値データファイル２００がＲＡＭ１３に読み出されて、各設定項目についてのデフォルト値が取得される（Ｓ１０１）。同様に、ハードディスク１４に保存されている設定値データファイルがＲＡＭ１３に読み出されて、各設定項目についての現在の設定値が取得される（Ｓ１０２）。なお、ステップＳ１０１とステップＳ１０２の実行順序は逆であってもよい。
【００４５】
続いて、取得されたデフォルト値と設定値とが比較される（Ｓ１０３）。ここで、比較の結果、デフォルト値から変更された設定項目、すなわち現在の設定値がデフォルト値と異なる設定項目がリストアップされる。
【００４６】
デフォルト値から変更されている設定項目が存在する場合（Ｓ１０４：ＹＥＳ）、デフォルト値から変更された設定項目についての一覧画面がディスプレイ１５に表示される（Ｓ１０５）。このように本実施形態では、デフォルト値から変更された設定項目のみについての情報が表示される。したがって、ユーザは、現時点でデフォルト値から変更されている設定項目を容易に把握できる。ただし、デフォルト値から変更されていない設定項目についての情報もあわせて表示されることも可能である。
【００４７】
図７は、一覧画面の一例を示す。図示のように、一覧画面３００において、現在の設定値がデフォルト値と異なる設定項目の名称、現在の設定値、およびデフォルト値が、設定項目毎に表示される。一覧画面３００は、現在の設定値をデフォルト値に戻す設定項目を選択するための選択チェックボックス３０１，３０２，３０３を含んでいる。また、一覧画面３００は、現在の設定値をデフォルト値に戻す設定項目として、一覧表示された全ての設定項目を選択するための選択チェックボックス３１１を含む。選択チェックボックス３１１がチェックされると全ての設定項目が選択され、選択チェックボックス３１１のチェックが外されると全ての設定項目の選択が外される。符号「３１２」は、選択の決定を指示するためのＯＫボタンを示す。なお、設定項目が一つも選択されていない場合、ＯＫボタン３１２はグレイアウトで表示され、使用できなくなる。また、符号「３１３」は、デフォルト値に戻す処理の取り消しを指示するためのキャンセルボタンを示す。
【００４８】
続いて、ユーザの操作による選択チェックボックスのチェックが受け付けられる（Ｓ１０６）。例えば図７では、選択チェックボックス３０１および３０３がチェックされている。そして、ＯＫボタン３１２およびキャンセルボタン３１３のうちのいずれのボタンが押されたかが判断される（Ｓ１０７）。
【００４９】
ＯＫボタン３１２が押された場合（Ｓ１０７：ＯＫ）、選択された設定項目についての現在の設定値は、デフォルト値に戻される（Ｓ１０８）。
【００５０】
一方、ステップＳ１０４において、デフォルト値から変更されている設定項目が存在しないと判断された場合（Ｓ１０４：ＮＯ）、全設定項目について現在の設定値がデフォルト値と同じであることを示す情報、すなわち選択すべき設定項目が無いこと伝えるメッセージを表示するように設定されているか否かが判断される（Ｓ１０９）。メッセージを表示するか否かの設定は、システムの設計時に行われる。また、メッセージを表示するか否かの設定は、ユーザの操作により変更可能に構成されてもよい。
【００５１】
メッセージを表示するという設定が行われている場合（Ｓ１０９：ＹＥＳ）、例えば図８に示すような「全ての設定項目がデフォルト状態です。」というメッセージを含むメッセージ画面４００がディスプレイ１５に表示される（Ｓ１１０）。一方、メッセージを表示するという設定が行われていない場合（Ｓ１０９：ＮＯ）、ディスプレイ１５に何も表示されずに、図６の処理が終了する。
【００５２】
このように本実施形態においては、設定項目についての現在の設定値をデフォルト値に戻すための指示を受け付けた場合、設定項目毎に現在の設定値とデフォルト値とがそれぞれ画面上に表示される。そして、表示された複数の設定項目の中で、現在の設定値をデフォルト値に戻す設定項目が、ユーザの操作に基づいて選択される。
【００５３】
したがって、ユーザは、現時点でデフォルト値から変更されている設定項目と、その設定項目をデフォルト値に戻した時の状態とを容易に確認することができ、デフォルト値に戻したい設定項目を誤り無く選択することが可能となる。つまり、複数の設定項目の中でデフォルト値に戻す設定項目を、ユーザに負担なくユーザが意図する通りに選択することが可能となる。
【００５４】
特に、デフォルト値がユーザによりカスタマイズされたり、あるいは使用状況に応じて学習機能により自動でデフォルト値が変更されたりする環境下では、デフォルト値に戻すことによってユーザにとって予期しない設定値になる事態が生じる虞が高いと考えられるが、かかる事態を未然に防止することが可能である。
【００５５】
本発明は、上記した実施形態のみに限定されるものではなく、特許請求の範囲内において、種々改変することができる。
【００５６】
たとえば、本発明における設定項目は、原稿サイズ、給紙トレイ、および用紙種類に限定されるものではなく、例えば排紙トレイなどの他の設定項目が含まれていてもよい。
【００５７】
また、上記実施形態では、設定項目についての現在の設定値をデフォルト値に戻すための指示を受け付けた場合、全設定項目について現在の設定値がデフォルト値と同じであるときには、全設定項目について現在の設定値がデフォルト値と同じであることを示す情報が画面上に表示されるが、本発明はこれに限定されるものではない。例えば、全設定項目について現在の設定値がデフォルト値と同じである場合には、設定項目についての現在の設定値をデフォルト値に戻すための指示を受け付け不能にする制御が行われてもよい。
【００５８】
また、上記実施形態では、本発明がプリンタドライバに適用される場合を例に上げて説明されているが、本発明はこれに限定されるものではない。本発明は、例えば複数の設定項目を有する他のアプリケーションにも適用され得る。
【００５９】
また、上記実施形態では、印刷データを受信して用紙に印刷する装置としてプリンタが使用されているが、本発明はこれに限定されるものではない。本発明では、例えば複写機、ＭＦＰ（ＭＦＰ：Ｍｕｌｔｉ−Ｆｕｎｃｔｉｏｎ  Ｐｅｒｉｐｈｅｒａｌ）などの他の画像形成装置が使用されてもよい。
【００６０】
本実施形態にかかるデータ処理装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、データ処理装置の一機能としてその装置のソフトウェアに組み込まれてもよい。
【図面の簡単な説明】
【００６１】
【図１】本発明の一実施形態にかかる印刷システムの全体構成を示すブロック図である。
【図２】図１に示されるＰＣの構成を示すブロック図である。
【図３】プリンタドライバによってディスプレイに表示される印刷設定画面の一例を示す。
【図４】デフォルト値データファイルの一例を示す図である。
【図５】図１に示されるプリンタの構成を示すブロック図である。
【図６】ＰＣにおける設定項目についての現在の設定値をデフォルト値に戻す処理の手順を示すフローチャートである。
【図７】一覧画面の一例を示す。
【図８】メッセージ画面の一例を示す。
【符号の説明】
【００６２】
１    ＰＣ、
１１，２１    ＣＰＵ、
１２，２２    ＲＯＭ、
１３，２３    ＲＡＭ、
１４，２４    ハードディスク、
１５    ディスプレイ、
１６    入力装置、
１７，２７    通信インタフェース、
１８，２８    バス、
２    プリンタ、
２５    操作パネル部、
２６    印刷部、
３    ネットワーク、
１００    印刷設定画面、
１０１    「標準に戻す」ボタン、
２００    デフォルト値データファイル、
３００    一覧画面、
３０１〜３０３，３１１    選択チェックボックス、
４００    メッセージ画面。
【図１】
2007102497.tif 000003
【図２】
2007102497.tif 000004
【図３】
2007102497.tif 000005
【図４】
2007102497.tif 000006
【図５】
2007102497.tif 000007
【図６】
2007102497.tif 000008
【図７】
2007102497.tif 000009
【図８】
2007102497.tif 000010